(57)【特許請求の範囲】
【請求項１】
通水路を内蔵する止水栓装置本体と、前記止水栓装置本体内に回転可能に装着され、その回転に伴って軸心方向に進退して前記通水路を開閉する開閉弁スピンドルと、を有する止水ユニットと、
前記開閉弁スピンドルと係脱可能に係合される操作軸スピンドル及び前記通水路を流動する水をろ過するストレーナを保持する保持部材と、前記開閉弁スピンドルを回転させるため前記操作軸スピンドルの他端に設けられたハンドル部と、を有する操作ユニットと、  を備え、
前記操作ユニットを前記止水ユニットに着脱可能に装着すると共に、前記操作軸スピンドルを前記開閉弁スピンドルに向かって付勢する付勢手段を設けたことを特徴とする止水栓装置。
【請求項２】
前記付勢手段がバネであることを特徴とする請求項１記載の止水栓装置。
【請求項３】
前記付勢手段が磁石であることを特徴とする請求項１記載の止水栓装置。
【請求項４】
前記操作ユニットを前記止水ユニットに着脱する際に使用する工具を係合させるための係合部を前記保持部材に設けたことを特徴とする請求項１〜３のいずれかに記載の止水栓装置。
【請求項５】
前記操作ユニットを前記止水ユニットに装着している状態では、前記付勢手段により、前記操作軸スピンドルと前記開閉弁スピンドルとが常に係合しており、前記止水栓装置本体に対して螺合されている前記保持部材を、前記止水栓装置本体から退く方向に回転させると、前記操作軸スピンドルは回転せずに、前記保持部材と前記止水栓装置本体との螺合結合が外れ、
それに伴い、操作軸スピンドルと開閉弁スピンドルとの係合も外れ、前記操作ユニットを前記止水ユニットから離脱できることを特徴とする請求項１〜４のいずれかに記載の止水栓装置。
【発明の詳細な説明】
【技術分野】
【０００１】
本発明は、建築物内の給水設備として室内の床面や壁面などに配管された給水管に取り付けられるストレーナ付きの止水栓装置に関する。
【背景技術】
【０００２】
従来の「止水栓」として、止水弁に連結されたスピンドル軸の上端の溝を、スクリュードライバ等の工具で操作することによってスピンドル軸を回転させ、止水弁の開閉操作を行うものが知られている。しかし、この「止水栓」は、止水操作を行う度にスクリュードライバ等でスピンドル軸を回転操作しなければならず、操作性に欠けていた。
【０００３】
そこで、スピンドル軸に連結されたハンドル部を手動で回転させることによって開閉操作を行うことのできる「止水栓」がある（例えば、特許文献１参照。）。この「止水栓」は、ハンドル部を回転操作して止水状態にした後、スピンドル軸の外周に配置されたストレーナのみを取り出し可能な構成となっている。
【０００４】
【特許文献１】特開２００２―１８１２０９号公報
【発明の開示】
【発明が解決しようとする課題】
【０００５】
しかしながら、特許文献１記載のハンドル付き「止水栓」は、ハンドル部の操作性を高めるため、ハンドル部の外径がスピンドルの外径より大きくなっている。このため、ストレーナの交換が必要となったとき、まずハンドル部を回転操作して止水した後、ハンドル部をスピンドルから取り外し、さらに蓋部材をハウジングから取り外さなければストレーナを取り出すことができない。また、「止水栓」を再度組み立てるときは、前述と逆の手順をとらなければならない。このため、スクリュードライバ等の工具で止水操作を行う「止水栓」においては不要である、スピンドル軸からハンドル部を脱着するという作業を、ストレーナ交換やメンテナンス等の度に行わなければならず、これらの脱着作業に多大な手間と時間を要している。
【０００６】
本発明が解決しようとする課題は、ストレーナのメンテナンスや交換を極めて容易に行うことのできる止水栓装置を提供することにある。
【課題を解決するための手段】
【０００７】
本発明の止水栓装置は、
通水路を内蔵する止水栓装置本体と、前記止水栓装置本体内に回転可能に装着され、そ
の回転に伴って軸心方向に進退して前記通水路を開閉する開閉弁スピンドルと、を有する
止水ユニットと、
前記開閉弁スピンドルと係脱可能に係合される操作軸スピンドル及び前記通水路を流動
する水をろ過するストレーナを保持する保持部材と、前記開閉弁スピンドルを回転させる
ため前記操作軸スピンドルの他端に設けられたハンドル部と、を有する操作ユニットと、
を備え、
前記操作ユニットを前記止水ユニットに着脱可能に装着すると共に、前記操作軸スピンドルを前記開閉弁スピンドルに向かって付勢する付勢手段を設けたことを特徴とする。
【０００８】
このような構成とすれば、開閉弁スピンドルを回転させるハンドル部を設けたことにより、工具なしで止水弁を開閉することができる。また、ハンドル部の回転操作で通水路を閉止して止水を行った後、操作ユニットを止水ユニットから取り外すことができるため、メンテナンスなどを行う場合、ハンドル部を取り外すという煩雑な工程が不要となり、止水栓装置本体から容易にストレーナを取り外すことができる。
【０００９】
また、前記操作軸スピンドルを前記開閉弁スピンドルに向かって付勢する付勢手段を設けたことにより、操作軸スピンドルを常に開閉弁スピンドルに押圧した状態に保つことができるため、止水栓装置を上下左右いずれの方向に設置しても、操作軸スピンドルと開閉弁スピンドルとの間の係合が緩んだり、外れたりすることがない。従って、止水栓装置の設置姿勢の自由度が拡がり、汎用性が高まる。
【００１０】
この場合、前記付勢手段として、バネや磁石を設ければ、操作軸スピンドルと開閉弁スピンドルとを強く係合することができる。
【００１１】
さらに、前記操作ユニットを前記止水ユニットに着脱する際に使用する工具を係合させ
るための係合部を前記保持部材に設けることが望ましい。このような構成とすれば、保持部材に設けられた係合部に工具を係合させて所定の操作をするだけで、操作ユニットを止水ユニットから取り外すことができるため、メンテナンス性が向上する。そして、前記操作ユニットを前記止水ユニットに装着している状態では、前記付勢手段により、前記操作軸スピンドルと前記開閉弁スピンドルとが常に係合しており、前記止水栓装置を分解する場合は、前記止水栓装置本体に対して螺合されている前記保持部材を、前記止水栓装置本体から退く方向に回転させると、前記操作軸スピンドルは回転せずに、前記保持部材と前記止水栓装置本体との螺合結合が外れ、それに伴い、操作軸スピンドルと開閉弁スピンドルとの係合も外れ、前記操作ユニットを前記止水ユニットから離脱できるようにすることが望ましい。このような構成とすれば、保持部材を回転操作するだけで、操作ユニットを止水ユニットから取り外すことができるため、メンテナンス性が向上する。
【発明の効果】
【００１２】
本発明の止水栓装置においては、開閉弁スピンドルを回転させるハンドル部を設けたことにより、工具なしで止水弁を開閉することができるとともに、ハンドル部の回転操作で通水路を閉止して止水を行った後、操作ユニットを止水ユニットから取り外すことができる。このため、ストレーナのメンテナンスや交換などを行う場合、ハンドル部を取り外すといった工程などが不要となり、止水栓装置本体から容易にストレーナを取り外すことができる。これにより、ストレーナのメンテナンスや交換を極めて容易に行うことのできる止水栓装置を提供することができる。
【発明を実施するための最良の形態】
【００１３】
以下、図面に基づいて、本発明の実施の形態について説明する。図１は本発明の第１実施形態である止水栓装置の設置状態を示す一部省略斜視図、図２は図１に示す止水栓装置付近の拡大斜視図、図３は図２に示す止水栓装置の正面図、図４は図２のＡ−Ａ線における断面図、図５は図３のＢ−Ｂ線における断面図、図６は図４の一部拡大図、図７は図５の一部拡大図、図８は図４に示す止水栓装置を閉止状態にしたときの断面図である。
【００１４】
図１および図２に示すように、止水栓装置１０は、例えば、建築物内の給水設備として室内の床面Ｆに配管された給水管１１に取り付けて使用することができる。本実施形態においては、止水栓装置１０の流入口１７が給水管１１に接続された状態で床面Ｆに固定され、その流出口１８に分岐管１４の入水口１４ａが連結具１９を介して着脱可能に接続されている。そして、分岐管１４の下流側に設けられた二つの出水口１４ｂ，１４ｃに、水洗トイレ１２側の通水管１５，１６が接続されている。
【００１５】
通水管１５は水洗トイレ１２の便器洗浄水の導水経路であり、通水管１６は局部洗浄水の導水経路である。通常、止水栓装置１０は開弁状態に設定されているので、水洗トイレ１２において所定の動作指令があると、給水管１１から送られる水が、止水栓装置１０を通過し、分岐管１４および通水管１５，１６を経由して水洗トイレ１２に供給される。
【００１６】
図３〜図５に示すように、止水栓装置１０は、通水路２１を内蔵する止水栓装置本体２０と、通水路２１を開閉する開閉弁スピンドル２２と、を有する止水ユニット２３と、この止水ユニット２３に着脱可能に装着された操作ユニット２７と、を備えている。操作ユニット２７は、開閉弁スピンドル２２と係脱可能に係合される操作軸スピンドル２４と、通水路２１を流動する水をろ過するストレーナ２５を保持する保持部材２６と、操作軸スピンドル２４を介して開閉弁スピンドル２２を回転させるため操作軸スピンドル２４の上端に設けられたハンドル部１３と、を備えている。保持部材２６の外周には、工具を係合させるための六角柱状の係合部２６ｄが形成されている。
【００１７】
図６，図７に示すように、止水ユニット２３を構成する開閉弁スピンドル２２の上部は保持部材２６の軸心方向に穿孔された貫通孔２６ａ内に装入され、その上端面には直径方向の凹溝２２ａが設けられている。開閉弁スピンドル２２の中央付近にはフランジ状の弁体部２２ｂが設けられ、弁体部２２ｂの外周に設けられた周溝２２ｄにゴムパッキン２２ｃが嵌め込まれている。弁体部２２ｂの下方には、下面が開口した円筒状の通水部２２ｆが設けられ、その軸心を挟んだ対向位置に一対の通水孔２２ｅが開設され、通水部２２ｆの外周には雄ねじ部２２ｇが形成されている。
【００１８】
この雄ねじ部２２ｇを、通水路２１内周面の雌ねじ部２０ａに螺合させた状態で、開閉弁スピンドル２２が止水栓装置本体２０内に回転可能に装着されている。後述するハンドル部１３の回転操作により開閉弁スピンドル２２を回転させると、雄ねじ部２２ｇと雌ねじ部２０ａとの螺合機構により、開閉弁スピンドル２２が軸心方向に昇降する。これに伴って弁体部２２ｂ及びゴムパッキン２２ｃが通水路２１内に設けられた弁座２０ｂに当接、離隔することにより、通水路２１の閉止、開放が行われる。
【００１９】
ストレーナ２５は周壁に多数の貫通孔が開設された円筒状の部材であり、通水路２１内において弁体部２２ｂ及びゴムパッキン２２ｃを同軸上で囲繞する姿勢で弁座２０ｂ上に載置されている。ストレーナ２５の上端部は、保持部材２６の下端部に形成されたスカート状の把持部２６ｂの内側に着脱可能に嵌め込まれている。把持部２６ｂの外周に形成された雄ねじ部２６ｃを、通水路２１の上端開口部の内周に形成された雌ねじ部２０ｃに螺合させることにより、保持部材２６が止水栓装置本体２０に装着されている。
【００２０】
図６，図７に示すように、保持部材２６の貫通孔２６ａの上方から挿入された操作軸スピンドル２４は、貫通孔２６ａの上端部に螺着された環状の蓋部材２８によって回転可能に保持されている。操作軸スピンドル２４の下端面には直径方向の突条２４ａが設けられ、中央より下方部分にフランジ２４ｂが設けられ、上端部にはキャップ状のハンドル部１３が装着され、ハンドル部１３の上面部を貫通して操作軸スピンドル２４の軸心方向に螺着された雄ねじ２９によって固定されている。
【００２１】
フランジ２４ｂは貫通孔２６ａの上方に設けられた拡径部２６ｆに軸心方向に移動可能に配置され、蓋部材２８とフランジ２４ｂとの間の操作軸スピンドル２４外周にばね３０が取り付けられている。フランジ２４ｂが拡径部２６ｆ内で昇降可能な範囲内において操作軸スピンドル２４が保持部材２６に対し軸心方向に移動可能である。ばね３０は、フランジ２４ｂを蓋部材２８から遠ざける方向に付勢しているため、操作軸スピンドル２４全体は、貫通孔２６ａの下端に向かう方向に付勢されている。
【００２２】
図７に示すように、操作ユニット２７を止水ユニット２３に装着したとき、操作軸スピンドル２４下端面の突条２４ａが、開閉弁スピンドル２２上端面の凹溝２２ａに嵌入係合された状態に保たれる。従って、後述する開閉操作により開閉弁スピンドル２２が軸心方向に移動したときも、ばね３０の付勢力により、操作軸スピンドル２４の突条２４ａと開閉弁スピンドル２２の凹溝２２ａとの係合が維持される。
【００２３】
前述したように、止水栓装置１０の開閉操作はハンドル部１３を左右に回転させることによって行うが、通常、止水栓装置１０は、図４〜図７に示すように、弁体部２２ｂ及びゴムパッキン２２ｃが通水路２１内の弁座２０ｂから離れ、通水路２１が開放された状態にある。止水栓装置１０を閉止する必要が生じた場合、止水栓装置１０の真上から見て、ハンドル部１３を右回転させると、操作軸スピンドル２４及びこれと係合する開閉弁スピンドル２２が同方向に回転する。これに伴い、開閉弁スピンドル２２下端の雄ねじ部２２ｇと通水路２１内の雌ねじ部２０ａとの螺合機構により、開閉弁スピンドル２２が軸心方向に下降していき、図８に示すように、弁体部２２ｂ及びゴムパッキン２２ｃが通水路２１内の弁座２０ｂに密着することにより通水路２１が閉止される。また、ハンドル部１３を左回転させると、前述と逆の過程を辿り、弁体部２２ｂ及びゴムパッキン２２ｃが通水路２１内の弁座２０ｂから離れ、通水路２１が開放される。
【００２４】
操作ハンドル部１３の開閉操作に伴い、開閉弁スピンドル２２は軸心方向に昇降するが、ばね３０が操作軸スピンドル２４を開閉弁スピンドル２２に向かって押圧するように付勢しているため、操作軸スピンドル２４の突条２４ａと開閉弁スピンドル２２の凹溝２２ａとは、常に係合した状態に保たれる。
【００２５】
次に、図８及び図９〜図１１に基づいて止水栓装置１０の分解手順について説明する。図９は図３に示す止水栓装置の分解図、図１０は図９に示す止水栓装置の垂直断面図、図１１は図９のＣ−Ｃ線における断面図である。
【００２６】
メンテナンスなどのために止水栓装置１０を分解する必要が生じた場合、まず、ハンドル部１３を手で回転操作して、図８に示す閉止状態にする。そして、保持部材２６外周の係合部２６ｄにスパナなどの工具を係合させて回転させると、操作軸スピンドル２４が開閉弁スピンドル２２に係合した状態で保持部材２６が回転し、雄ねじ部２６ｃとその外周の雌ねじ部２０ｃとの螺合機構により、操作ユニット２７が止水栓装置本体２０から徐々に上昇していく。
【００２７】
上昇し始めの段階においては、ばね３０の付勢力により操作スピンドル２４が開閉弁スピンドル２２に係合しているが、ばね３０が伸びきるまで保持部材２６が上昇すると、操作軸スピンドル２４の突条２４ａが開閉弁スピンドル２２の凹溝２２ａから離脱する。この後、操作ユニット２７を持上げると、図９，図１０に示すように、ストレーナ２５が係止された状態の操作ユニット２７が止水ユニット２３から外れる。操作ユニット２７に係止されたストレーナ２５を下方に引くと、保持部材２６下端の把持部２６ｂから外れるので、ストレーナ２５の交換やメンテナンスを容易に行うことができる。
【００２８】
一方、メンテナンスが終わったストレーナ２５あるいは新たなストレーナ２５を保持部材２６下端の把持部２６ｂに装着し、保持部材２６の雄ねじ部２６ｃを止水栓装置本体２０の雌ねじ部２０ｃに螺合させ、前述と逆の手順をとれば、止水栓装置１０を元の状態に組み立てることができる。組み立て完了後、ハンドル部１３を開弁操作すれば、止水栓装置１０は通水可能な状態に戻る。
【００２９】
止水栓装置１０は開閉弁スピンドル２２を回転させるハンドル部１３を備えているため、工具なしで開閉操作することができる。このため、緊急に止水しなければならない事態が発生したときも迅速に対応することができる。また、ハンドル部１３の回転操作で通水路２１を閉止して止水を行った後、保持部材２６を緩めれば操作ユニット２７を止水ユニット２３から取り外すことができるため、メンテナンスなどを行う場合、止水栓装置本体２０から容易にストレーナ２５を取り外すことができる。
【００３０】
ばね３０の付勢力により、操作軸スピンドル２４を開閉弁スピンドル２２に押圧しているため、保持部材２６を緩めない限り、操作軸スピンドル２４と開閉弁スピンドル２２とは常に係合状態に保たれる。このため、止水栓装置１０を上下左右いずれの方向に設置しても、操作軸スピンドル２４と開閉弁スピンドル２２との係合が緩んだり、外れたりすることがない。従って、止水栓装置１０の設置姿勢の自由度は広く、汎用性に優れている。
【００３１】
また、操作軸スピンドル２４を開閉弁スピンドル２２に押圧する付勢手段として、ばね３０を設けているため、両者を強く係合することができる。なお、付勢手段は、ばね３０に限定しないので、例えば、板ばね、ゴム、電磁石あるいは後述する磁石など、操作軸スピンドル２４を開閉弁スピンドル２２に押圧できる部材であればよい。
【００３２】
さらに、操作ユニット２７を止水ユニット２３に着脱する際に使用する工具を係合させるための係合部２６ｄを保持部材２６に設けているため、この係合部２６ｄにスパナなどの工具を係合させて回転操作するだけで、操作ユニット２７を止水ユニット２３から取り外したり、取り付けたりすることができるため、メンテナンス性も良好である。
【００３３】
ここで、図１２に基づいて、操作軸スピンドル２４を開閉弁スピンドル２２に向かって付勢する付勢手段に関するその他の実施の形態について説明する。図１２は付勢手段に磁石を用いた状態を示す垂直断面図である。なお、図１２において、図１〜図１１と同符号を付している部分は止水栓装置１０の構成部分と同じ構造、機能を有する部分であり、説明を省略する。
【００３４】
図１２に示す止水栓装置においては、開閉弁スピンドル２２の上端部付近に設けられた凹部３６に磁石３５が埋め込まれ、操作軸スピンドル２４は、磁石３５に吸着される素材の一つであるステンレス鋼で形成されている。従って、磁石３５の作用により、操作軸スピンドル２４は常に開閉弁スピンドル２２に引き付けられた状態に保たれる結果、操作軸スピンドル２４と開閉弁スピンドル２２とは強く係合されるため、緩んだり、外れたりすることはない。
【００３５】
また、図１２に示す形態とは逆に、操作軸スピンドル２４の下端部付近に磁石３５を埋め込み、開閉弁スピンドル２２をステンレス鋼で形成することもできる。さらに、操作軸スピンドル２４及び開閉弁スピンドル２２の両方に磁石を埋め込んで、互いに係合させてもよい。なお、操作軸スピンドル２４や開閉弁スピンドル２２の素材はステンレス鋼に限定しないので、磁石に吸着される他の素材で形成することもできる。
【００３６】
次に、図１３〜図１５に基づいて、本発明の第２，第３実施形態について説明する。図１３は本発明の第２実施形態である止水栓装置を示す正面図、図１４は本発明の第３実施形態である止水栓装置を示す正面図、図１５は図１４に示す止水栓装置の垂直断面図である。なお、図１３〜図１５において、図１〜図１１と同符号を付している部分は止水栓装置１０の構成部分と同じ構造、機能を有する部分であり、説明を省略する。
【００３７】
図１３に示す止水栓装置５０は、建築物の室内の壁面Ｗに配管されたＬ字状の給水管１１ａに接続され、ハンドル部１３が下向きの倒立姿勢で取り付けられている。また、止水栓装置本体２０及び分岐管１４を覆うカバー５１，５２が設けられている。図７，図８で示したように、ばね３０の付勢力により操作軸スピンドル２４は開閉弁スピンドル２２に押圧されている。このため、止水栓装置本体２０より下方にあるハンドル部１３及び操作軸スピンドル２４の自重により操作軸スピンドル２４が床面Ｆ方向に移動して操作軸スピンドル２４と開閉弁スピンドル２２との係合が外れることはない。
【００３８】
図１４，図１５に示す止水栓装置７０は、床面Ｆ上に配管されたエルボ７１を介して給水管（図示せず）に接続されている。エルボ７１に設けられた台座部７１ａを貫通して床面Ｆに螺着された複数のねじ７２により、エルボ７１とともに止水栓装置７０が床面Ｆに固定されている。エルボ７１を用いることにより、床面Ｆや壁面に給水管が配管されていない場所にも止水栓装置７０を取り付けることができる。
【産業上の利用可能性】
【００３９】
本発明の止水栓装置は、建築物内の給水設備として室内の床面や壁面などに配管された給水管の止水手段として、広く利用することができる。
【図面の簡単な説明】
【００４０】
【図１】本発明の第１実施形態である止水栓装置の設置状態を示す一部省略斜視図である。
【図２】図１に示す止水栓装置付近の拡大斜視図である。
【図３】図２に示す止水栓装置の正面図である。
【図４】図２のＡ−Ａ線における断面図である。
【図５】図３のＢ−Ｂ線における断面図である。
【図６】図４の一部拡大図である。
【図７】図５の一部拡大図である。
【図８】図４に示す止水栓装置を閉止状態にしたときの断面図である。
【図９】図３に示す止水栓装置の分解図である。
【図１０】図９に示す止水栓装置の垂直断面図である。
【図１１】図９のＣ−Ｃ線における断面図である。
【図１２】付勢手段に磁石を用いた状態を示す垂直断面図である。
【図１３】本発明の第２実施形態である止水栓装置を示す正面図である。
【図１４】本発明の第３実施形態である止水栓装置を示す正面図である。
【図１５】図１４に示す止水栓装置の垂直断面図である。
【符号の説明】
【００４１】
１０，５０，７０  止水栓装置
１１  給水管
１２  水洗トイレ
１３  ハンドル部
１４  分岐管
１４ａ  入水口
１４ｂ，１４ｃ  出水口
１５，１６  通水管  
１７  流入口
１８  流出口
１９  連結具
２０  止水栓装置本体
２０ａ，２０ｃ  雌ねじ部
２０ｂ  弁座
２１  通水路
２２  開閉弁スピンドル
２２ａ  凹溝
２２ｂ  弁体部
２２ｄ  周溝
２２ｃ  ゴムパッキン
２２ｅ  通水孔
２２ｆ  通水部
２２ｇ  雄ねじ部
２３  止水ユニット
２４  操作軸スピンドル
２４ａ  突条
２４ｂ  フランジ
２５  ストレーナ
２６  保持部材
２６ａ  貫通孔
２６ｂ  把持部
２６ｃ  雄ねじ部
２６ｄ  係合部
２６ｆ  拡径部
２７  操作ユニット
２８  蓋部材
２９  雄ねじ
３０  ばね
３５  磁石
３６  凹部
５１，５２  カバー
７１  エルボ
７１ａ  台座部
７２  ネジ
Ｆ  床面
Ｗ  壁面
【図１】
0005012289.tif 000002
【図２】
0005012289.tif 000003
【図３】
0005012289.tif 000004
【図４】
0005012289.tif 000005
【図５】
0005012289.tif 000006
【図６】
0005012289.tif 000007
【図７】
0005012289.tif 000008
【図８】
0005012289.tif 000009
【図９】
0005012289.tif 000010
【図１０】
0005012289.tif 000011
【図１１】
0005012289.tif 000012
【図１２】
0005012289.tif 000013
【図１３】
0005012289.tif 000014
【図１４】
0005012289.tif 000015
【図１５】
0005012289.tif 000016